(57)【要約】【課題】  ステンドグラスに描かれた絵柄を壁、天井、床に投影して（柄飛びさせて）装飾効果を挙げる。また、回転や昇降させて更に興趣の高いものにする。【解決手段】  電球を中に収容したステンドグラスを使用した電灯傘において、上端に少なくとも電線が挿入される孔があき、下方が漸拡径した多角錘の上半分部と、上半分部の下端に接続される上半分部の下端と同一の形状をした中間部と、中間部に接続され、下方が漸縮径した多角錘の下半分部とからなり、下半分部の下端に電球の取替えができる程度の孔をあけるとともに、電灯傘を回転や昇降ができるようにする。【選択図】  図４
2013098029.tif 000002
【特許請求の範囲】
【請求項１】
電球を中に収容したステンドグラスを使用した電灯傘において、上端に少なくとも電線が挿入される孔があき、下方が漸拡径した多角錘の上半分部と、上半分部の下端に接続される上半分部の下端と同一の形状をした中間部と、中間部に接続され、下方が漸縮径した多角錘の下半分部とからなり、下半分部の下端に電球の取替えができる程度の孔をあけたことを特徴とするステンドグラス製の電灯傘。
【請求項２】
上半分部及び下半分部の漸拡径及び漸縮径の角度が４５°程度である請求項１のステンドグラス製の電灯傘。
【請求項３】
電灯傘が回転及び／又は昇降ができる請求項１又は２のステンドグラス製の電灯傘。
【請求項４】
請求項１〜３いずれかのステンドグラス製の電灯傘の製作方法において、電灯傘がステンドグラスの伝統的手法で製造されるものであり、下半分部の下端をハンダごて及び清掃のための手が入る程度の孔があいた状態で止め、この孔から半田ごてを挿入して上半分部、中間部及び下半分部の裏面部のハンダ付けをするとともに、清掃布等で清掃した後、下半分部の下端に下端に電球交換が可能な程度の孔があいた部分下半分部を接続することを特徴とするステンドグラス製の電灯傘の製作方法。
【発明の詳細な説明】
【技術分野】
【０００１】
本発明は、ステンドグラスを使用したステンドグラス製の電灯傘及びその製作方法に関するものである。
【背景技術】
【０００２】
ステンドグラスは透明ガラスに所望の絵柄を描いた着色ガラスを組み込んだガラスピースを集合して所定の大きさと形状にしたガラスユニットにし、ガラスユニットを接合して所要の形状に仕上げるものである。ステンドグラスが使用される典型的な例は教会等の窓ガラスであるが、下記特許文献１〜３に見られるように電灯傘も多く製造されている。これらに共通するのは透明ガラスの中にステンドグラスを入れ込んだもので、これではステンドグラス本来のよさが出ない。
【０００３】
ステンドグラスのみの電灯傘によれば、壁（天井や床も含む。以下、同じ）を白っぽい色にしておくことで、電灯傘の絵柄が壁に投影され（これを柄飛びという）、装飾効果が高い。この場合の電灯傘は平面部を有する方が柄飛びが鮮明であり、しかも、製作が容易なため、下方に漸拡径する多角錘をしているものが多い（中には円錐形をしたものもある）。
【０００４】
ところが、従来の電灯傘は多角錘をしていても、上半分部のみであり、柄飛びは傘の下方（床等）には飛ばず、装飾効果としてはもの足らなかった。この最大の理由は伝統的なステンドガラスの装飾品はガラスピース及びガラスユニットの接着にハンダを用いるからであり、ハンダ付けは表面のみでなく、裏面も必要とするため、裏面にハンダごてを挿入できるスペースが必要であるからである。
【先行技術文献】
【特許文献】
【０００５】
【特許文献１】特開平０７−１６１２１５号公報
【特許文献２】特開平０９−０４５１１９号公報
【特許文献３】特開平０９−１４７６１０号公報
【発明の概要】
【発明が解決しようとする課題】
【０００６】
本発明は、柄飛びが下方の床等にも飛ぶ電灯傘を提供し、装飾的効果をより高めたものである。加えて、電灯傘を回転及び／又は昇降させると、柄飛びした絵柄が動き、かつ、焦点が合ったりぼやけたりして非常に興趣の高いものになるようにしたものである。
【課題を解決するための手段】
【０００７】
以上の課題の下、本発明は、請求項１に記載した、電球を中に収容したステンドグラスを使用した電灯傘において、上端に少なくとも電線が挿入される孔があき、下方が漸拡径した多角錘の上半分部と、上半分部の下端に接続される上半分部の下端と同一の形状をした中間部と、中間部に接続され、下方が漸縮径した多角錘の下半分部とからなり、下半分部の下端に電球の取替えができる程度の孔をあけたことを特徴とするステンドグラス製の電灯傘を提供するとともに、これにおいて、請求項２に記載した、上半分部及び下半分部の漸拡径及び漸縮径の角度が４５°程度である手段、請求項３に記載した、電灯傘が回転及び／又は昇降ができる手段を提供する。
【０００８】
また、本発明は、以上の電灯傘の製作方法において、請求項４に記載した、電灯傘がステンドグラスの伝統的手法で製造されるものであり、下半分部の下端をハンダごて及び清掃のための手が入る程度の孔があいた状態で止め、この孔から半田ごてを挿入して上半分部、中間部及び下半分部の裏面部のハンダ付けをするとともに、清掃布等で清掃した後、下半分部の下端に下端に電球交換が可能な程度の孔があいた部分下半分部を接続することを特徴とするステンドグラス製の電灯傘の製作方法を提供する。
【発明の効果】
【０００９】
請求項１の発明によると、柄飛びが下方にも飛ぶことになり、装飾効果が高い。そして、請求項２の手段によると、柄飛びした絵柄が壁に焦点が合い、鮮明な画像になる。また、請求項３の手段によると、柄飛びして壁に写った絵柄が回転し、天井や床には焦点が合ったりぼやけたりして装飾効果はより高くなり、興趣も増す。請求項４の手段によると、従来、請求項１に記した完成された姿では裏面のハンダ付けや綺麗な清掃が不可能であったものも可能になり、本発明のような電灯傘を製作することができる。
【図面の簡単な説明】
【００１０】
【図１】ステンドグラス製の電灯傘の平面図である。
【図２】ステンドグラス製の電灯傘の側面図である。
【図３】ステンドグラス製の電灯傘を構成するガラスユニットの正面図である。
【図４】ステンドグラス製の電灯傘の回転及び昇降を示す概念図である。
【発明を実施するための形態】
【００１１】
以下、本発明の実施の形態を図面を参照して説明するが、図１はこの電灯傘の平面図、図２は側面図、図３はガラスピースを集合させたガラスユニットの正面図である。まず、ステンドグラスの装飾品を製作する場合について説明する。この製作をステンドグラスの伝統的な方法で行うには次のような工程による。
【００１２】
１．所望の形状をしたでき上りの装飾品（本例では、上下端方向に径が減縮する１２面体をした電灯傘）の一部分を構成するステンドグラスのガラスピース１を製作する。ガラスピース１には絵柄部分１ａとなる比較的色の濃いものとそれ以外の基体部分１ｂとなる比較的色の薄い（透明も含む）ものからなる。
【００１３】
２．ガラスピース１を集合して一つの多面体であるガラスユニット２を製作する。このとき、ガラスピース１を接合する必要があるが、これをハンダ付けで行う。そのためには、ガラスピース１の縁を面取りし、これに銅テープ（図示省略）を密着させ、その溝にハンダを埋め込む。これにより、鉛と錫の合金であるハンダが銅テープと接着し、ガラスピース１同士が接合する。ガラスユニット２はガラスピース１を寄せ集めたモザイク模様をしていることになる。本例のガラスユニット２は三つのガラスピース１を一つの面とし、これを四段に重ねたものにしている。
【００１４】
なお、ハンダ付けが終了したら、ハンダの部分をセレン等で薬品処理する。これを行うと、一種の酸化である黒色化するが、ハンダの酸化は鉄等と違って中まで浸透せず、長期に亘ってその脆性化を防ぐ。本例の絵柄部分１ａは上下に細長い帯であり、ガラスユニット２の１２面体すべて同じ形状にしている。なお、ハンダ付けは表裏両面に行う。
【００１５】
３．ガラスユニット２を集合させて１２面体の電灯傘とする。この接合も表裏面のハンダ付けで行う。また、上端には電線３が挿入できる孔があいて後述する減速モータに連結する連結環４を形成しておく。
【００１６】
４．これで上半分部５が完成されたことになるが、上半分部５は下方に行くほど径が大きい漸拡径していることになる。このときの角度は４５°付近であり、この角度程度にしなければ、天井や壁に絵柄が合焦しない。同様の工程によって下半分部６も製作する。下半分部６は上半分部５とは逆の形態をしており、下方に行くほど径が小さくなる漸縮径していることになる。このときの角度も４５°付近である。ただし、下端には少なくとも電球７の取替えができる孔８が形成されている。また、本例では、絵柄部分１ａはすべてのガラスユニット２で同じにしている。
【００１７】
５．以上の上半分部５と下半分部６とを接続するが、このとき、上半分部５（下半分部６も同じであるが）の下端と同じ形状をした中間部９を介在させる。こうすると、上半分部５と下半分部６の接続が容易であり、かつ、装飾効果も高いからである。上半分部５、下半分部６及び中間部９の接続は表裏面のハンダ付けで行うのは同じである。
【００１８】
６．ただし、裏面のハンダ付けをより容易に行うために、このとき、下半分部６の下端にはハンダごてが楽に挿入でき、かつ、ハンダ付けをした後に裏面を綺麗に清掃できる清掃布等が挿入できる１５０ｍｍ程度の孔を残しておき、下半分部６の下端Ａはこの径までにしておく（丈が若干短くなる）。
【００１９】
７．これでは孔が大きすぎて下方への柄飛びが十分ではないので、最後に下端の孔８を６０ｍｍ程度にした下半分部６に連続する形状をした部分下半分部１０を製作し、これを下半分部６の下端に同じくハンダで接続する（特殊のハンダごてを使用すれば、裏面もハンダ付けができる）。孔８の径が６０ｍｍ程度というのは電球を取り替える際に最低限必要であるからである。なお、本例では、部分下半分部１０には絵柄部分１ａがないが、もちろん、存在させていてもよい。
【００２０】
８．これで電灯傘が完成されたことになるが、中に電球７を取り付け、これに給電することで、絵柄部分１ａと基体部分１ｂとが色分けされて周囲、上下に柄飛びし、非常に興趣の高いものになる。このとき、投影面が近いと絵柄は合焦し、非常に鮮明なものになるし、遠くなると投影像も拡大し、焦点もぼやける。
【００２１】
これだけでも、柄飛びは上方（天井）、側方（壁）、下方（床）に飛ぶが、次の構造によると、興趣が更に増す。具体的には、電灯傘を回転及び／又は（以下は及びと称する）昇降させることである。図４はその概念図であるが、まず、回転は、二本のガイドバー１１を起立させて中央に凸部１２ａを有する下部フレーム１２を用意し、これに電灯傘の上半分部５の連結環４に取付軸１３を連結し、取付軸１３に連結した出力軸を有する回転用モータ１４を固定する。
【００２２】
次に、ガイドバー１１に摺動可能に嵌合される下垂アーム１５ａを有する上部フレーム１５を天井等１６に取り付ける。そして、上部フレームの下面に昇降用モータ１７を取り付け、その出力軸に下部フレーム１２の凸部１２に形成されたネジ孔に螺合するネジ１８を取り付けておく。これにより、回転用モータ１４を駆動すれば、電灯傘は回転し、昇降用モータ１７を駆動すれば、電灯傘は昇降する。ただし、回転のときに電線３が捩れてはならないので、取付軸１３の中にはロータリ接続機構１９を組み込んでおく。
【００２３】
電灯傘を回転と昇降をさせれば、絵柄部分１ａは回転と昇降をするが、回転すれば、柄飛びした絵柄が次々に動き、興趣の高いものになる。また、昇降させれは、絵柄部分１ａ、基体部分１ｂが天井と床に対して近くなったり遠くなったりし、合焦して鮮明にもなれば、ぼやけたりして非常に興趣の高いものになる。この点で、回転及び昇降はあまり速度が早くないものがよい。なお、電線は、回転用モータ１４、下部フレーム１２ネジ１８、昇降用モータ１７を通して天井等１６に挿通したり、這わせたして電源につないでおくのはいうまでもない。さらに、以上において、回転、昇降はこの構成に限らないのはもちろんである（例えば、伸縮シリンダによるものでもよい）。
【００２４】
以上は、本発明の実施例であり、本発明はこれに限定されるものではない。すなわち、絵柄不分１ａは細長い帯に限るものではないし、一面体に一つとは限らない。また、すべての面体で同じものにするとも限らない。同様に多角錘も１２面体に限らない（場合によっては球体でもよい）。さらに、基体部分１ｂも透明や淡い色に限るものではない。
【符号の説明】
【００２５】
１      ガラスピース
１ａ          〃    の絵柄部分
１ｂ          〃    の基体部分
２      ガラスユニット
３      電線
４      連結環
５      上半分部
６      下半分部
７      電球
８      下端の孔
９      中間部
１０    部分下半分部
１１    ガイドバー
１２    下部フレーム
１２ａ        〃    の凸部
１３    取付軸
１４    回転用モータ
１５    上部フレーム
１５ａ        〃    の下垂アーム
１６    天井等
１７    昇降用モータ
１８    ネジ
１９    ロータリ接続機構
【図１】
2013098029.tif 000003
【図２】
2013098029.tif 000004
【図３】
2013098029.tif 000005
【図４】
2013098029.tif 000006